(57)【要約】【課題】連続してシートを給送してもシートは常に十分に冷却され、安定した冷却効果を発揮するシート冷却装置を提供すること。【解決手段】本発明に係るシート冷却装置は、加熱定着装置の下流にシートを案内する搬送路を有し、搬送路が対向する面を有する部材によって構成され、部材が断熱材で構成されている又は断熱材で覆われていることを特徴とする。 本発明に係るシート冷却装置は、対向する面で構成された搬送路からシート搬送方向に対して垂直な方向に開口部を設けていることを特徴とする。【選択図】図１
2005257893.tif 000002
【特許請求の範囲】
【請求項１】
加熱定着装置を有する画像形成装置において、前記加熱定着装置の下流にシートを案内する搬送路を有し、前記搬送路が対向する面を有する部材によって構成され、前記部材が断熱材で構成されている又は断熱材で覆われていることを特徴とするシート冷却装置。
【請求項２】
前記対向する面で構成された搬送路からシート搬送方向に対して垂直な方向に開口部を設けていることを特徴とする請求項１記載のシート冷却装置。
【請求項３】
前記開口部が前記搬送路と接続していることを特徴とする請求項２記載のシート冷却装置。
【請求項４】
前記開口部が外気に通じていることを特徴とする請求項２又は３記載のシート冷却装置。
【請求項５】
前記対向する面で構成された搬送路のシートの入口又は出口において、対向する面の距離が他の部分と比べて狭くなっていることを特徴とする請求項１〜４の何れかに記載のシート冷却装置。
【請求項６】
前記対向する面の間に、装置本体の外気から前記対向する面の間に空気を引き込む、又は前記対向する面の間から装置本体の外側へ空気を吐き出すような送風手段を設置したことを特徴とする請求項１〜５の何れかに記載のシート冷却装置。
【請求項７】
前記送風手段が２つ以上設置され、外気からの吸い込む送風手段の風量が装置外側へ吐き出す送風手段の風量より大きいことを特徴とする請求項６記載のシート冷却装置。
【発明の詳細な説明】
【技術分野】
【０００１】
本発明は、複写機、レーザービームプリンター、ファクシミリ等の画像形成装置において、特に、シートに転写されたトナー像を加熱定着した後にシートを冷却するシート冷却装置に関するものである。
【背景技術】
【０００２】
先ず、最初に本発明に係る電子写真画像形成装置の一例である電子写真複写機について図７を用いて説明する。
【０００３】
図７において、１００は電子写真複写機本体（以下、装置本体と言う）である。又、原稿は、原稿台ガラス１０２の上に置かれている。そして、画像情報に応じた光像が光学部１０３の複数のミラーＭとレンズＬｎにより、ＣＣＤ１２２上に結像し、ＣＣＤ１２２は画像情報を読み込む。読み込んだ画像情報は、レーザースキャナー１２３によってドラム１０４上に結像する。１０５はカセットである。これらカセット１０５に積載された記録材（以下、「
シート」 と称す）Ｐのうち、操作部から使用者が入力した情報若しくは原稿のシートサイズから適切なシートをカセット１０５のシートサイズ情報から選択する。ここで、シートとしては、用紙に限定されずに、例えばＯＨＰシート等適宜選択できる。
【０００４】
そして、給紙、分離装置１０５ａにより搬送された１枚のシートＰを、搬送部１０６、レジ前搬送ガイド部１０７を経由してレジストローラ１０８に搬送する。尚、１０９，１１０は転写帯電器、分離帯電器である。ここで、転写帯電器１０９によって、ドラム１０４上に形成されたトナー像をシートＰに転写する。そして、分離帯電器１１０によって、トナー像の転写されたシートＰをドラム１０４から分離する。
【０００５】
その後、搬送部１１１により搬送されたシートＰは、定着装置１１２において熱と圧によりシート上のトナー像を定着させた後、片面コピーの場合には、内排紙ローラ１１３を通過した後、外排紙ローラ１１４により本体装置外部へ排出される。又、両面コピーの場合には、フラッパ１１５の制御により、再給紙搬送路１１６を経由して反転パス１１７へ一時搬送される。ここで、シートＰの終端が再給紙搬送路１１６を通過し、反転ローラ１１８に未だ挟持されているタイミングで反転ローラ１１８を逆回転させることにより、再度装置内へ搬送される。その後、シートＰは、両面パス１１９を経由して再びレジ前搬送ガイド部１０７を通過してレジストローラ１０８まで搬送された後、片面コピーの場合と同様の経路を経て本体装置外部へ排出される。
【０００６】
このようにして定着装置１１２によって加熱定着されたシートＰは熱を持っている。特に、両面コピーの場合、加熱定着した後、再給紙搬送路１１６、反転パス１１７、両面パス１１９を通過して再度ドラムに搬送される。このとき、再給紙されたシートＰは熱を持っているので、再びシートＰにトナー像を転写したときにドラム１０４及びその周辺部が熱せられ温度が上昇してしまう。ドラム１０４及びその周辺部、特にクリーニング装置１２０の温度が上昇すると、この部分のトナーが若干溶け出してから再度固まるというブロッキングと称される現象が発生してしまう。ブロッキングが発生してしまうと、トナーがドラム１０４、クリーニング装置１２０等に貼り付いてしまい、シートＰへの適切なトナー像の転写ができない。
【０００７】
そこで、このような問題を解決するために、特許文献１に記載されているように、定着装置によってシートにトナー像が定着された後の搬送路において、ファン１２１を配置し、ファン１２１により送られる空気よってシートを冷却する、というシート冷却装置が提案されている。
【０００８】
【特許文献１】特開平５−２３４９号公報
【発明の開示】
【発明が解決しようとする課題】
【０００９】
しかしながら、上記従来例は、以下のような問題があった。
【００１０】
即ち、上記従来例のような構成のシート冷却装置を具備した画像形成装置において、シートを連続して両面コピーをすると、次第に装置本体内の温度が定着器等によって上昇してしまう。この状態でファンによってシートを冷却してもシートは十分に冷却されず、ドラム及びその周辺部を熱してしまう。又、ファンによってシートを冷却した空気はシートによって熱せられるので温度が上昇する。その空気がそのまま装置本体内に送られるので、更に装置本体内の温度を上昇させてしまう。
【００１１】
本発明は上記問題に鑑みてなされたもので、その目的とする処は、連続してシートを給送してもシートは常に十分に冷却され、安定した冷却効果を発揮するシート冷却装置を提供することにある。
【課題を解決するための手段】
【００１２】
上記目的を達成するため、本発明に係るシート冷却装置は、加熱定着装置の下流にシートを案内する搬送路を有し、搬送路が対向する面を有する部材によって構成され、部材が断熱材で構成されている又は断熱材で覆われていることを特徴とする。
【００１３】
本発明に係るシート冷却装置は、対向する面で構成された搬送路からシート搬送方向に対して垂直な方向に開口部を設けていることを特徴とする。
【００１４】
本発明に係るシート冷却装置は、開口部が搬送路と接続していることを特徴とする。
【００１５】
本発明に係るシート冷却装置は、開口部が外気に通じていることを特徴とする。
【００１６】
本発明に係るシート冷却装置は、対向する面で構成された搬送路のシートの入口又は出口において、対向する面の距離が他の部分と比べて狭くなっていることを特徴とする。
【００１７】
本発明に係るシート冷却装置は、対向する面の間に、装置本体の外気から対向する面の間に空気を引き込む、又は対向する面の間から装置本体の外側へ空気を吐き出すような送風手段を設置したことを特徴とする。
【００１８】
本発明に係るシート冷却装置は、送風手段が２つ以上設置され、外気からの吸い込む送風手段の風量が装置外側へ吐き出す送風手段の風量より大きいことを特徴とする。
【発明の効果】
【００１９】
本発明に係るシート冷却装置は、搬送路を構成する部材が断熱材であるので、連続して両面コピー等を行って装置本体内の温度が上昇しても搬送路内の温度は装置本体内の温度に影響されにくくなる。従って、連続して両面コピー等を行っても、安定した冷却効果を発揮するシート冷却手段を提供することができる。
【００２０】
本発明に係るシート冷却装置は、搬送面からシート搬送方向に対して垂直な方向に開口部を設けているので、連続して両面コピー等を行って装置本体内の温度が上昇しても搬送路内の温度は装置本体内の温度に影響されにくく、常に外気の温度とほぼ同じである。シートは常に外気と同じ温度で冷却されるので、シートは常に十分に冷却される。従って、連続して両面コピー等を行っても冷却効果が変化することなく、常に安定した冷却効果を発揮するシート冷却手段を提供することができる。
【００２１】
本発明に係るシート冷却装置は、開口部が搬送面と接続しているので、搬送路内の温度は装置本体内の温度にさらに影響されにくくなる。従って、連続して両面コピー等を行っても冷却効果が変化することなく、更に安定した冷却効果を発揮するシート冷却手段を提供することができる。
【００２２】
本発明に係るシート冷却装置は、開口部が外気に通じているので、フレッシュな外気が搬送路内に入り込み、シートの冷却効率が向上する。
【００２３】
本発明に係るシート冷却装置は、対向する面で構成された搬送路のシートの入口又は出口において、対向する面の距離が他の部分と比べて狭くなっているので、連続して両面コピー等を行って装置本体内の温度が上昇しても搬送路内の温度は装置本体内の温度に更に影響されにくくなるので、更に安定したシート冷却装置を提供することができる。
【００２４】
本発明に係るシート冷却装置は、対向する面の間に、装置本体の外気から対向する面の間に空気を引き込む、又は対向する面の間から装置本体の外側へ空気を吐き出すような送風手段を設置しているので、常にフレッシュな外気が搬送路内に入り込み、更にシートの冷却効率が向上する。
【００２５】
本発明に係るシート冷却装置は、送風手段が２つ以上設置され、外気からの吸い込む送風手段の風量が装置外側へ吐き出す送風手段の風量より大きいので、搬送路内は正圧となり、搬送路内の空気は搬送路のシートの入口及び出口においても空気が装置本体内に向かって吹き出すようになる。搬送路内の空気は装置本体内の温度に全く影響されなくなり、更に安定したシート冷却装置を提供することができる。
【発明を実施するための最良の形態】
【００２６】
以下に本発明の実施の形態を添付図面に基づいて説明する。
【００２７】
＜実施の形態１＞
（構成の説明）
本発明を備えた画像形成装置１の実施の形態について図面を参照して説明する。図２は画像形成装置としての電子写真複写機の概略構成を模式的に示した断面説明図である。
【００２８】
図２において、２は像担持体（例えば、ドラム形状の電子写真感光体或はベルト形状の電子写真感光体であり、以下、ドラムと称する）、３はドラム２上に形成された潜像に現像剤を付着することによって顕像化する現像装置、即ち潜像を現像する現像装置、４は現像装置３に現像剤（本実施の形態における現像剤は一成分磁性トナー）を送り込むホッパー部、５はドラム２上に顕像化された現像像をシート（記録媒体）に転写する転写手段、６はドラム２上に残留した現像剤及びその他の付着物を除去するクリーニング装置、７はドラム２の残留電荷の除電を行う除電手段、８はドラム２上を一様に帯電させる一次帯電器、９は原稿の画像情報を読み取る光学読取系、９ａは前記画像情報をドラム２上に露光して潜像を形成する露光部、１０は原稿を画像読取部へ導く原稿処理装置、１１は画像形成部にシートＰを給送するシート給送部、１２はシートＰを搬送する搬送台、１３は画像形成部で転写されたシートＰ上の画像（現像剤像）をシートＰに定着する定着装置、１４は画像形成の完了したシートＰを排出するシート排出部、１５は両面記録時に再給送するシートＰを誘導する再給紙搬送路、１６は前記再給送するシートＰを反転する反転パス、１７は反転されたシートＰを現像装置３まで搬送する両面パスである。
【００２９】
ここで、本発明に係るシート冷却装置について図１を用いて説明する。
【００３０】
再給紙搬送路は、再給紙搬送ガイドＡ１５ａと再給紙搬送ガイドＢ１５ｂで構成されている。再給紙搬送ガイドＡ１５ａと再給紙搬送ガイドＢ１５ｂは、断熱材で構成されている。再給紙搬送ガイドＢ１５ｂの入口側と出口側は、特に再給紙搬送ガイドＢ１５ｂと再給紙搬送ガイドＡ１５ａとの距離が短くなるように構成している。再給紙搬送ガイドＡ１５４ａと再給紙搬送ガイドＢ１５ｂのシート搬送方向に対して垂直な方向は装置本体の外装１ａに接続している。再給紙搬送ガイドＡ１５ａと再給紙搬送ガイドＢ１５ｂに挟まれた装置本体の外装１ａ部分には、空気が通るようにルーバー１８が具備されている（図３参照）。
【００３１】
反転パス１６は、反転パスガイドＡ１６ａと反転パスガイドＢ１６ｂで構成されており、再給紙搬送路と同様の構成である。
【００３２】
両面パスは、両面パスガイドＡ１７ａと両面パスガイドＢ１７ｂで構成されており、再給紙搬送路と同様の構成である。
（動作の説明）
次に、前記画像形成装置の動作について説明する。
【００３３】
原稿は、原稿台ガラス９ｂの上に置かれている。そして、画像情報に応じた光像が露光部９ａの複数のミラーＭとレンズＬｎにより、ＣＣＤ２５上に結像し、ＣＣＤ２５は画像情報を読み込む。読み込んだ画像情報をレーザースキャナー２６によってドラム２上にレーザーで結像する。シート給送部１１に積載された記録材（以下、「
シート」 と称す）Ｐのうち、操作部から使用者が入力した情報若しくは原稿のシートサイズから適切なシートＰをシート給送部１１のシートサイズ情報から選択する。ここで、シートＰとしては、用紙に限定されずに、例えばＯＨＰシート等適宜選択できる。
【００３４】
そして、給紙、分離装置１１ａにより搬送された１枚のシートＰを、搬送部１２ａ、レジ前搬送ガイド部１２ｂを経由してレジストローラ１９まで搬送し、ドラム２の回転と、露光部９ａのスキャンのタイミングを同期させて搬送する。尚、５ａ，５ｂは転写帯電器、分離帯電器である。ここで、転写帯電器５ａによって、ドラム２上に形成されたトナー像をシートＰに転写する。そして、分離帯電器５ｂによって、トナー像の転写されたシートＰをドラム２から分離する。
【００３５】
その後、搬送部１２ａにより搬送されたシートＰは、定着装置１４において熱と圧によりシートＰ上のトナー像を定着させた後、片面コピーの場合には、内排紙ローラ２０を通過した後、外排紙ローラ２１によりシート排出部１４へ排出される。又、両面コピーの場合には、フラッパ２２の制御により、再給紙搬送路１５を経由して反転パス１６へ一時搬送される。ここで、シートＰの終端が再給紙搬送路１５を通過し、反転ローラ１６ｃに未だ挟持されているタイミングで反転ローラ１６ｃを逆回転させることにより、再度装置内へ搬送される。その後、両面パス１７を経由して再びレジ前搬送ガイド部１２ｂを通過してレジストローラ１９まで搬送された後、片面コピーの場合と同様の経路を経てシート排出部１４へ排出される。
【００３６】
次に、シート冷却装置の動作について説明する。
【００３７】
両面コピーの場合、シートＰは再給紙搬送路１５に搬送される。再給紙搬送路１５は、断熱材の再給紙搬送ガイドＡ１５ａと再給紙搬送ガイドＢ１５ｂによって構成されている。再給紙搬送路１５内の空気は、装置本体の外装１ａに設置されているルーバー１８によって外気と繋がっている。従って、再給紙搬送路１５内は常に外気と同じ温度になっている。
【００３８】
シートＰを連続して両面コピーすると、次第に装置本体内の温度は上昇する。しかし、再給紙搬送ガイドＡ１５ａと再給紙搬送ガイドＢ１５ｂは断熱材で構成されているので、再給紙搬送路１５内の空気は装置本体内の温度に影響されない。更に、再給紙搬送路１５のシートの入口側と出口側は再給紙搬送ガイドＡ１５ａと再給紙搬送ガイドＢ１５ｂの距離が特に短くなっており、装置本体内の温度の影響が殆ど無いようにしている。従って、再給紙搬送路１５内の温度は常に外気と同じ温度に保たれている。再給紙搬送路１５内を連続してシートＰを給送しても、再給紙搬送路１５内の温度は外気に対して殆ど変化しないため、常に同様のシート冷却効果を得ることができる。
【００３９】
反転パス１６、両面パス１７においても同様の動作により、反転パス１６、両面パス１７内の温度は外気に対して殆ど変化しないので、常に同様のシート冷却効果を得ることができる。
【００４０】
上記構成によれば、再給紙搬送路１５内、反転パス１６内、両面パス１７内の温度は、連続して両面コピーをしても上昇することなく、外気と常に同じであり、シートは安定した冷却効果で冷却される。
【００４１】
本実施の形態では、再給紙搬送路１５、反転パス１６、両面パス１７を断熱材としているが、断熱材は、ＡＢＳのようなモールド材でも良い。
【００４２】
本実施の形態では、再給紙搬送路１５、反転パス１６、両面パス１７を断熱材としているが、再給紙搬送路１５、反転パス１６、両面パス１７を、例えば、一般に使われている断熱シート等で覆っても良い。
【００４３】
本実施の形態では、再給紙搬送路１５、反転パス１６、両面パス１７を外装１ａに接するように配置しているが、図４に示すように、再給紙搬送路１５、反転パス１６、両面パス１７が外装１ａの近傍に配置されていても、ほぼ同様の効果を得ることができるので、再給紙搬送路１５、反転パス１６、両面パス１７が外装１ａの近傍に配置しても良い。
【００４４】
＜実施の形態２＞
（構成の説明）
実施の形態２の構成を図５に基づいて説明する。
【００４５】
再給紙搬送路１５は、再給紙搬送ガイドＡ１５ａと再給紙搬送ガイドＢ１５ｂで構成されている。再給紙搬送ガイドＡ１５ａと再給紙搬送ガイドＢ１５ｂは、断熱材で構成されている。再給紙搬送ガイドＢ１５ｂの入口側と出口側は特に再給紙搬送ガイドＢ１５ｂと再給紙搬送ガイドＡ１５ａとの距離が短くなるように構成している。再給紙搬送ガイドＡ１５ａと再給紙搬送ガイドＢ１５ｂのシート搬送方向に対して垂直な方向は装置本体の外装１ａに接続している。
【００４６】
装置本体の外装１ａの内側にはファンＡ２３、ファンＢ２４が具備されており、ファンＡ２３とファンＢ２４は、再給紙搬送ガイドＡ１５ａと再給紙搬送ガイドＢ１５ｂの間に配置されている。再給紙搬送ガイドＡ１５ａのシート搬送方向に対して垂直な方向にある装置本体の外装１ａ部分には、空気が通るようにルーバー１８が具備されている。ファンＡ２３、ファンＢ２４はそれぞれルーバー１８の近傍に配置されており、ファンＡ２３は外気を吸い込み、ファンＢ２４は外気へ吐き出すように風向が設定されている（図６参照）。
【００４７】
反転パス１６は、反転パスガイドＡ１６ａと反転パスガイドＢ１６ｂで構成されており、再給紙搬送路１５と同様の構成である。
【００４８】
両面パス１７は、両面パスガイドＡ１７ａと両面パスガイドＢ１７ｂで構成されており、再給紙搬送路１５と同様の構成である。
【００４９】
その他の部分は実施の形態１のシート給送装置と同一であるので、同一部分については同一の符号を付して、その部分の説明は省略する。
（動作の説明）
次に、シート冷却装置の動作について説明する。
【００５０】
両面コピーの場合、シートＰは再給紙搬送路１５に搬送される。再給紙搬送路１５は、断熱材の再給紙搬送ガイドＡ１５ａと再給紙搬送ガイドＢ１５ｂによって構成されている。再給紙搬送路１５内の空気は、装置本体の外装１ａに設置されているルーバー１８によって外気と繋がっている。更に、ファンＡ２３、ファンＢ２４によって外気を再給紙搬送路１５内に吸い込んで吐き出している。従って、再給紙搬送路１５内は常に外気と同じ温度になっている。
【００５１】
シートＰを連続して両面コピーすると、次第に装置本体内の温度は上昇する。しかし、再給紙搬送ガイドＡ１５ａと再給紙搬送ガイドＢ１５ｂは断熱材で構成されているので、再給紙搬送路１５内の空気は装置本体内の温度に影響されない。更に、再給紙搬送路１５のシートＰの入口側と出口側は再給紙搬送ガイドＡ１５ａと再給紙搬送ガイドＢ１５ｂの距離が特に短くなっており、装置本体内の温度の影響が殆ど無いようにしている。更に、ファンＡ２３、ファンＢ２４によって外気を再給紙搬送路１５内に吸い込んで吐き出しており、常にフレッシュな外気を再給紙搬送路１５内に取り込んでいる。従って、再給紙搬送路１５内におけるシートＰの冷却効率は向上する。
【００５２】
反転パス１６、両面パス１７においても同様の動作により、反転パス１６、両面パス１７内のシートの冷却効率は向上する。
【００５３】
上記構成によれば、再給紙搬送路１５内、反転パス１６内、両面パス１７内の温度は、ファンによって冷却効率は向上し、更に、再給紙搬送路１５、反転パス１６、両面パス１７が断熱材で構成されているため、連続して両面コピーをしても冷却効率が変化することがない。従って、シートは向上した冷却効率を維持して冷却される。
【００５４】
＜実施の形態３＞
（構成の説明）
図６において、再給紙搬送路１５内に配置されたファンＡ２３、ファンＢ２４は、ファンＡ２３は外気を吸い込み、ファンＢ２４は外気へ吐き出すように風向が設定されている。更に、ファンＡ２３の風量は、ファンＢ２４の風量よりも大きくなるように設定されている。
【００５５】
反転パス１６は、反転パスガイドＡ１６ａと反転パスガイドＢ１６ｂで構成されており、再給紙搬送路１５と同様の構成である。
【００５６】
両面パス１７は、両面パスガイドＡ１７ａと両面パスガイドＢ１７ｂで構成されており、再給紙搬送路１５と同様の構成である。
【００５７】
その他の部分は実施の形態１のシート給送装置と同一であるので、同一部分については同一の符号を付して、その部分の説明は省略する。
（動作の説明）
次に、シート冷却装置の動作について説明する。
【００５８】
両面コピーの場合、シートＰは再給紙搬送路１５に搬送される。再給紙搬送路１５は、断熱材の再給紙搬送ガイドＡ１５ａと再給紙搬送ガイドＢ１５ｂによって構成されている。再給紙搬送路１５内の空気は、装置本体の外装１ａに設置されているルーバー１８によって外気と繋がっている。更に、ファンＡ２３、ファンＢ２４によって外気を再給紙搬送路１５内に吸い込んで吐き出している。従って、再給紙搬送路１５内は常に外気と同じ温度になっている。
【００５９】
シートＰを連続して両面コピーすると、次第に装置本体内の温度は上昇する。しかし、再給紙搬送ガイドＡ１５ａと再給紙搬送ガイドＢ１５ｂは断熱材で構成されているので、再給紙搬送路１５内の空気は、装置本体内の温度に影響されない。更に、再給紙搬送路１５のシートＰの入口側と出口側は再給紙搬送ガイドＡ１５ａと再給紙搬送ガイドＢ１５ｂの距離が特に短くなっており、装置本体内の温度の影響が殆ど無いようにしている。更に、ファンＡ２３、ファンＢ２４によって外気を再給紙搬送路１５内に吸い込んで吐き出しており、常にフレッシュな外気を再給紙搬送路１５内に取り込んでいる。
【００６０】
又、ファンＡ２３の風量は、ファンＢ２４の風量より大きいので、外気から吸い込む風量が大きく、外気へ吐き出す風量は小さい。再給紙搬送路１５内は正圧となる。再給紙搬送路１５内の空気は、再給紙搬送路１５の入口及び出口から装置本体内に向かって吹き出すことになる。従って、再給紙搬送路１５内の温度は、装置本体内の温度の影響は全く受けず、常に外気と同じ温度に保たれる。再給紙搬送路１５内を連続してシートＰを給送しても、再給紙搬送路１５内の温度は外気に対して変化しないので、常に同様のシート冷却効果を得ることができる。
【００６１】
反転パス１６、両面パス１７においても同様の動作により、反転パス１６、両面パス１７内の温度は外気に対して殆ど変化しないので、常に同様のシート冷却効果を得ることができる。
【００６２】
上記構成によれば、再給紙搬送路１５内、反転パス１６内、両面パス１７内の温度は、連続して両面コピーをしても上昇することなく、外気と常に同じであり、シートＰは更に安定した冷却効果で冷却される。
【産業上の利用可能性】
【００６３】
本発明は、複写機、レーザービームプリンター、ファクシミリ等の画像形成装置において、特に、シートに転写されたトナー像を加熱定着した後にシートを冷却するシート冷却装置に対して有用である。
【図面の簡単な説明】
【００６４】
【図１】本発明の実施の形態１に係るシート冷却装置を備える画像形成装置の断面図である。
【図２】画像形成装置の概略断面図である。
【図３】本発明の実施の形態１に係るシート冷却装置の説明図である。
【図４】本発明の実施の形態１に係るシート冷却装置の説明図である。
【図５】本発明の実施の形態２に係るシート冷却装置を備える画像形成装置の断面図である。
【図６】本発明の実施の形態２，３に係るシート冷却装置の説明図である。
【図７】従来の画像形成装置の断面図である。
【符号の説明】
【００６５】
１３  定着装置
１５  再給紙搬送露
１６  反転パス
１７  両面パス
２３  ファンＡ
２４  ファンＢ
【図１】
2005257893.tif 000003
【図２】
2005257893.tif 000004
【図３】
2005257893.tif 000005
【図４】
2005257893.tif 000006
【図５】
2005257893.tif 000007
【図６】
2005257893.tif 000008
【図７】
2005257893.tif 000009